(57)【要約】  レーザ維持プラズマ（ＬＳＰ）広帯域源のプラズマランプにおける、プラズマを点火および維持するための照明源は、プラズマランプ内に収容されたガスにプラズマを点火するように構成される１つ以上の点火レーザを含む。照明源はさらに、プラズマを維持するように構成される１つ以上の維持レーザを含む。照明源は、デリバリ光ファイバと、１つ以上の点火レーザの出力と１つ以上の維持レーザの出力とを、デリバリ光ファイバに選択的に光学結合するように構成される、１つ以上の光学素子と、を含む。
2018531487.tif 000002
【特許請求の範囲】
【請求項１】
無電極プラズマ点火のための照明源であって、
プラズマランプ内に収容されたガスにプラズマを点火するように構成される１つ以上の点火レーザと、
前記プラズマを維持するように構成される１つ以上の維持レーザと、
デリバリ光ファイバと、
前記１つ以上の点火レーザの出力と前記１つ以上の維持レーザの出力とを前記デリバリ光ファイバに選択的に光学結合するように構成される、１つ以上の光学素子と、
を含む照明源。
【請求項２】
請求項１に記載の照明源であって、前記１つ以上の点火レーザの前記出力は、前記デリバリ光ファイバへの入力前に、前記１つ以上の維持レーザの前記出力とインライン結合される、照明源。
【請求項３】
請求項１に記載の照明源であって、前記１つ以上の点火レーザは、１つ以上のパルスレーザを含む、照明源。
【請求項４】
請求項１に記載の照明源であって、前記１つ以上の点火レーザは、変調モードで動作する、１つ以上の連続波レーザを含む、照明源。
【請求項５】
請求項１に記載の照明源であって、前記１つ以上の維持レーザは、１つ以上の連続波レーザを含む、照明源。
【請求項６】
請求項５に記載の照明源であって、前記１つ以上の連続波レーザは、１つ以上のダイオードレーザを含む、照明源。
【請求項７】
請求項１に記載の照明源であって、前記１つ以上の点火レーザの出力と前記１つ以上の維持レーザの出力とを前記デリバリ光ファイバにインラインで選択的に光学結合させるように構成される前記１つ以上の光学素子は、１つ以上のダイクロイックミラー、１つ以上の偏光コンバイナ、１つ以上のブロッキングミラー、または、１つ以上のフリップミラーの少なくともいずれかを含む、照明源。
【請求項８】
無電極プラズマ点火のための照明源であって、
プラズマランプ内に収容されたガスにプラズマを点火するように構成される１つ以上の点火レーザと、
前記プラズマを維持するように構成される１つ以上の維持レーザと、
入力を備えるデリバリ光ファイバであって、前記１つ以上の維持レーザの出力が前記入力に結合される、デリバリ光ファイバと、
プロセス光ファイバと、
前記デリバリ光ファイバの出力と前記プロセス光ファイバの入力とに光学結合されるファイバカプラであって、前記１つ以上の点火レーザの出力と前記１つ以上の維持レーザの出力とを前記プロセス光ファイバの入力に選択的に光学結合するように構成される１つ以上の光学素子を含む、ファイバカプラと、
を含む、照明源。
【請求項９】
請求項８に記載の照明源であって、前記ファイバカプラの前記１つ以上の光学素子は、前記デリバリ光ファイバと前記１つ以上の点火レーザとの出力を、前記プロセス光ファイバの入力へ結合するように構成される、照明源。
【請求項１０】
請求項８に記載の照明源であって、前記１つ以上の点火レーザの前記出力は、前記デリバリ光ファイバの出力の下流で、前記１つ以上の維持レーザの前記出力とインライン結合される、照明源。
【請求項１１】
請求項８に記載の照明源であって、前記１つ以上の点火レーザは、１つ以上のパルスレーザを含む、照明源。
【請求項１２】
請求項８に記載の照明源であって、前記１つ以上の点火レーザは、変調モードで動作する、１つ以上の連続波レーザを含む、照明源。
【請求項１３】
請求項８に記載の照明源であって、前記１つ以上の維持レーザは、１つ以上の連続波レーザを含む、照明源。
【請求項１４】
請求項１３に記載の照明源であって、前記１つ以上の連続波レーザは、１つ以上のダイオードレーザを含む、照明源。
【請求項１５】
請求項８に記載の照明源であって、前記１つ以上の点火レーザの前記出力と前記１つ以上の維持レーザの前記出力とを、前記プロセス光ファイバの入力に選択的に光学結合させるように構成される、前記ファイバカプラの前記１つ以上の光学素子は、１つ以上のダイクロイックミラー、１つ以上の偏光コンバイナ、１つ以上のブロッキングミラー、または、１つ以上のフリップミラーの少なくともいずれかを含む、照明源。
【請求項１６】
プラズマ広帯域源であって、
所定体積のガスを収容するプラズマランプと、
１つ以上の点火レーザと、
１つ以上の維持レーザと、
デリバリ光ファイバと、
前記１つ以上の点火レーザの出力と前記１つ以上の維持レーザの出力とを、前記デリバリ光ファイバに選択的に光学結合するように構成される１つ以上の光学素子と、
前記デリバリ光ファイバからの出力を前記プラズマランプ内の所定体積のガスへ方向付けるように構成され、前記プラズマランプ内の前記所定体積のガスに前記プラズマを点火および維持する、１つ以上のランプ光学部品と、を含む、プラズマ広帯域源。
【請求項１７】
請求項１６に記載のプラズマ広帯域源であって、前記１つ以上の点火レーザの前記出力は、前記デリバリ光ファイバへの入力前に、前記１つ以上の維持レーザの前記出力とインライン結合される、プラズマ広帯域源。
【請求項１８】
請求項１６に記載のプラズマ広帯域源であって、前記１つ以上の点火レーザは、１つ以上のパルスレーザを含む、プラズマ広帯域源。
【請求項１９】
請求項１６に記載のプラズマ広帯域源であって、前記１つ以上の点火レーザは、変調モードで動作する、１つ以上の連続波レーザを含む、プラズマ広帯域源。
【請求項２０】
請求項１６に記載のプラズマ広帯域源であって、前記１つ以上の維持レーザは、１つ以上の連続波レーザを含む、プラズマ広帯域源。
【請求項２１】
請求項２０に記載のプラズマ広帯域源であって、前記１つ以上の連続波レーザは、１つ以上のダイオードレーザを含む、プラズマ広帯域源。
【請求項２２】
請求項１６に記載のプラズマ広帯域源であって、前記１つ以上の点火レーザの出力と前記１つ以上の維持レーザの出力とを、前記デリバリ光ファイバにインラインで選択的に光学結合させるように構成される前記１つ以上の光学素子は、１つ以上のダイクロイックミラー、１つ以上の偏光コンバイナ、１つ以上のブロッキングミラー、または、１つ以上のフリップミラーの少なくともいずれかを含む、プラズマ広帯域源。
【請求項２３】
請求項２２に記載のプラズマ広帯域源であって、前記１つ以上のランプ光学部品は、生成されたプラズマによって発せられる広帯域放射のうち少なくとも一部分を集光し、前記広帯域放射を１つ以上の別の光学素子へ方向付けるように構成される、プラズマ広帯域源。
【請求項２４】
請求項１６に記載のプラズマ広帯域源であって、前記１つ以上のランプ光学部品は、集光素子を含む、プラズマ広帯域源。
【請求項２５】
請求項２４に記載のプラズマ広帯域源であって、前記集光素子は、楕円面集光ミラー、放物面集光ミラー、または球面集光ミラーのうち少なくとも１つを含む、プラズマ広帯域源。
【請求項２６】
請求項１６に記載のプラズマ広帯域源であって、前記１つ以上のランプ光学部品は、
前記デリバリ光ファイバからの出力を前記プラズマランプ内の前記所定体積のガスへ方向付けるように構成される反射素子のセットと、
生成されたプラズマによって発せられる広帯域放射の少なくとも一部分を集光し、前記広帯域放射を１つ以上の別の光学素子へ方向付けるように構成される集光素子のセットと、
を含む、プラズマ広帯域源。
【請求項２７】
請求項１６に記載のプラズマ広帯域源であって、前記プラズマランプは、プラズマ電球を含む、プラズマ広帯域源。
【請求項２８】
請求項２７に記載のプラズマ広帯域源であって、前記プラズマ電球は、ほぼ円筒形、または、ほぼ球形のうち少なくとも１つを有する、プラズマ広帯域源。
【請求項２９】
請求項２７に記載のプラズマ広帯域源であって、前記プラズマ電球は、ほぼカージオイド形を有する、プラズマ広帯域源。
【請求項３０】
請求項２９に記載のプラズマ広帯域源であって、前記プラズマ電球は、前記プラズマ電球内の対流を方向付けるように構成され、前記電球の内面に配置されるピークを有する、プラズマ広帯域源。
【請求項３１】
請求項１６に記載のプラズマ広帯域源であって、前記プラズマランプは、無電極である、プラズマ広帯域源。
【請求項３２】
請求項１６に記載のプラズマ広帯域源であって、前記プラズマ電球の前記ガスは、不活性ガス、非不活性ガス、または２種類以上のガスの混合物のうち少なくとも１つを含む、プラズマ広帯域源。
【請求項３３】
プラズマ広帯域源であって、
所定体積のガスを収容するプラズマランプと、
１つ以上の点火レーザと、
１つ以上の維持レーザと、
入力を備えるデリバリ光ファイバであって、前記１つ以上の維持レーザの出力が前記入力に結合される、デリバリ光ファイバと、
プロセス光ファイバと、
前記デリバリ光ファイバの出力と前記プロセス光ファイバの入力とに光学結合されるファイバカプラであって、前記１つ以上の点火レーザの出力と前記１つ以上の維持レーザの出力とを、前記プロセス光ファイバの入力に選択的に光学結合するように構成される１つ以上の光学素子を含むファイバカプラと、
前記プロセス光ファイバからの出力を前記プラズマランプ内の所定体積のガスへ方向付けるように構成され、前記プラズマランプ内の前記所定体積のガスに前記プラズマを点火および維持する、１つ以上のランプ光学部品と、
を含む、プラズマ広帯域源。
【請求項３４】
請求項３３に記載のプラズマ広帯域源であって、前記ファイバカプラの前記１つ以上の光学素子は、前記デリバリ光ファイバと前記１つ以上の点火レーザとの出力を前記プロセス光ファイバの入力に結合させるように構成される、プラズマ広帯域源。
【請求項３５】
請求項３３に記載のプラズマ広帯域源であって、前記１つ以上の点火レーザの前記出力は、前記デリバリ光ファイバの出力の下流で、前記１つ以上の維持レーザの前記出力とインライン結合される、プラズマ広帯域源。
【請求項３６】
請求項３３に記載のプラズマ広帯域源であって、前記１つ以上の点火レーザは、１つ以上のパルスレーザを含む、プラズマ広帯域源。
【請求項３７】
請求項３３に記載のプラズマ広帯域源であって、前記１つ以上の点火レーザは、変調モードで動作する、１つ以上の連続波レーザを含む、プラズマ広帯域源。
【請求項３８】
請求項３３に記載のプラズマ広帯域源であって、前記１つ以上の維持レーザは、１つ以上の連続波レーザを含む、プラズマ広帯域源。
【請求項３９】
請求項３８に記載のプラズマ広帯域源であって、前記１つ以上の連続波レーザは、１つ以上のダイオードレーザを含む、プラズマ広帯域源。
【請求項４０】
請求項３３に記載のプラズマ広帯域源であって、前記１つ以上の点火レーザの前記出力と前記１つ以上の維持レーザの前記出力とを、前記プロセス光ファイバの入力に選択的に光学結合させるように構成される、前記ファイバカプラの前記１つ以上の光学素子は、１つ以上のダイクロイックミラー、１つ以上の偏光コンバイナ、１つ以上のブロッキングミラー、または、１つ以上のフリップミラーの少なくともいずれかを含む、プラズマ広帯域源。
【請求項４１】
請求項３３に記載のプラズマ広帯域源であって、前記１つ以上のランプ光学部品は、生成されたプラズマによって発せられる広帯域放射の少なくとも一部分を集光し、前記広帯域放射を１つ以上の別の光学素子へ方向付けるように構成される、プラズマ広帯域源。
【請求項４２】
請求項３３に記載のプラズマ広帯域源であって、前記１つ以上のランプ光学部品は、集光素子を含む、プラズマ広帯域源。
【請求項４３】
請求項４２に記載のプラズマ広帯域源であって、前記集光素子は、楕円面集光ミラー、放物面集光ミラー、または球面集光ミラーのうち少なくとも１つを含む、プラズマ広帯域源。
【請求項４４】
請求項３３に記載のプラズマ広帯域源であって、前記１つ以上のランプ光学部品は、前記デリバリ光ファイバからの出力を前記プラズマランプ内の前記所定体積のガスへ方向付けるように構成される反射素子のセットと、
生成されたプラズマによって発せられる広帯域放射の少なくとも一部分を集光し、前記広帯域放射を１つ以上の別の光学素子へ方向付けるように構成される集光素子のセットと、を含む、プラズマ広帯域源。
【請求項４５】
請求項３３に記載のプラズマ広帯域源であって、前記プラズマランプは、プラズマ電球を含む、プラズマ広帯域源。
【請求項４６】
請求項４５に記載のプラズマ広帯域源であって、前記プラズマ電球は、ほぼ円筒形、または、ほぼ球形のうち少なくとも１つを有する、プラズマ広帯域源。
【請求項４７】
請求項４５に記載のプラズマ広帯域源であって、前記プラズマ電球は、ほぼカージオイド形を有する、プラズマ広帯域源。
【請求項４８】
請求項４７に記載のプラズマ広帯域源であって、前記プラズマ電球は、前記プラズマ電球内の対流を方向付けるように構成され、前記電球の内面に配置されるピークを有する、プラズマ広帯域源。
【請求項４９】
請求項３３に記載のプラズマ広帯域源であって、前記プラズマランプは無電極である、プラズマ広帯域源。
【請求項５０】
請求項３３に記載のプラズマ広帯域源であって、前記プラズマ電球の前記ガスは、不活性ガス、非不活性ガス、または２種類以上のガスの混合物のうち少なくとも１つを含む、プラズマ広帯域源。
【発明の詳細な説明】
【技術分野】
【０００１】
本発明は、一般的にプラズマベースの光源に関し、より詳細には、無電極のプラズマベースの光源に関する。
【背景技術】
【０００２】
関連出願の相互参照
本願は、「NOVEL LAMP IGNITION SCHEME AND LAMP DESIGN FOR LASER PUMPED LAMPS USED ON BRIGHTFIELD WAFER INSPECTION TOOLS」と題され、Anant Chimmalgi, Rudolf Brunner, Anatoly Shchemelinin, Ilya Bezel, Erik Kim, Rajeev Patilを発明者として、２０１５年１０月４日に出願された米国仮特許出願第６２／２３６，９０４号の、米国特許法第１１９条（ｅ）の下での優先権を主張するものであり、その全体を本明細書の一部として援用する。
【０００３】
絶えず小型化している半導体デバイスの検査に用いるための、改善された照明源に対する必要性が高まり続けている。そのような照明源の一つに、レーザ維持プラズマ源がある。レーザ維持プラズマ（ＬＳＰ）光源は、高出力広帯域光を発生可能である。レーザ維持光源は、アルゴンまたはキセノンなどのガスを励起して、光を発することができるプラズマ状態にするために、レーザ照射をガス体積に集束することにより動作する。この作用は、一般的に、プラズマの「ポンピング」と呼ばれる。一般的に、プラズマランプは、プラズマを点火するための電極を必要とするが、プラズマはその後レーザエネルギーによってのみ維持される。電極を使用する場合、複雑なガラス金属シーリング技術および複雑な電球形状要素も必要になる。複雑な電球形状により応力集中や金属ガラスシールの欠陥が起きやすくなり、ランプの破壊圧力や破壊強度が全体的に低下しやすくなる。電極自体にも劣化やスパッタリングが起こりやすくなるため、減光によりガラス透過率が減少する。
【先行技術文献】
【特許文献】
【０００４】
【特許文献１】米国特許出願公開第２０１４／０２４０９５１号
【発明の概要】
【発明が解決しようとする課題】
【０００５】
したがって、上述したような従来の手法の欠点を克服するシステムおよび方法を提供することが望まれる。
【課題を解決するための手段】
【０００６】
本開示の１つ以上の実施形態による、広帯域プラズマ源におけるプラズマの無電極点火のための照明源を開示する。一実施形態において、照明源は、プラズマランプ内に収容されたガスにプラズマを点火するように構成される１つ以上の点火レーザを含む。別の実施形態において、照明源は、プラズマを維持するように構成される１つ以上の維持レーザを含む。別の実施形態において、照明源は、デリバリ光ファイバを含む。別の実施形態において、照明源は、１つ以上の点火レーザの出力と１つ以上の維持レーザの出力とを、デリバリ光ファイバに選択的に光学結合させるように構成される、１つ以上の光学素子を含む。別の実施形態において、照明源は、広帯域レーザ維持プラズマ（ＬＳＰ）源内に統合され、これにより、１つ以上のランプ光学部品が、デリバリ光ファイバからの出力をプラズマランプ内の所定体積のガスへ方向付け、プラズマランプ内の所定体積のガスにプラズマを点火および維持する。
【０００７】
本開示の１つ以上の別の実施形態による、広帯域プラズマ源におけるプラズマの無電極点火のための照明源を開示する。一実施形態において、照明源は、プラズマランプ内に収容されたガスにプラズマを点火するように構成される１つ以上の点火レーザを含む。別の実施形態において、照明源は、プラズマを維持するように構成される１つ以上の維持レーザを含む。別の実施形態において、照明源は、入力を備えるデリバリ光ファイバであって、１つ以上の維持レーザの出力が入力に結合される、デリバリ光ファイバを含む。別の実施形態において、照明源は、プロセス光ファイバを含む。別の実施形態において、照明源は、デリバリ光ファイバの出力とプロセス光ファイバの入力とに光学的に結合されるファイバカプラを含む。別の実施形態において、ファイバカプラは、１つ以上の点火レーザの出力と１つ以上の維持レーザの出力とをプロセス光ファイバの入力に選択的かつ光学的に結合させるように構成される１つ以上の光学素子を含む。別の実施形態において、照明源は、広帯域レーザ維持プラズマ（ＬＳＰ）源内に統合され、これにより、１つ以上のランプ光学部品がプロセス光ファイバからの出力をプラズマランプ内の所定体積のガスへ方向付け、プラズマランプ内の所定体積のガスにプラズマを点火および維持する。
【０００８】
前述の概要および以下の詳細な説明は、ともに単なる例証や説明であり、請求項に記載された発明を必ずしも制限するものではないことが理解される。本明細書に組み込まれ、その一部を構成する添付の図面は、本発明の実施形態を例証し、概要とともに本発明の原理を説明するのに役立つものである。
【図面の簡単な説明】
【０００９】
当業者が添付の図面を参照することにより、本開示の多くの利点がより詳細に理解されるだろう。
【図１Ａ】本開示の１つ以上の実施形態による、光維持プラズマを形成するためのシステムの概略図である。
【図１Ｂ】本開示の１つ以上の実施形態による、維持レーザと内部点火レーザとを含む照明源の概略図である。
【図１Ｃ】本開示の１つ以上の実施形態による、維持レーザと内部点火レーザとを含む照明源の概略図である。
【図１Ｄ】本開示の１つ以上の実施形態による、維持レーザと外部点火レーザとを含む照明源の概略図である。
【図１Ｅ】本開示の１つ以上の実施形態による、複数のダイクロイックミラーを備える照明源の概略図である。
【図１Ｆ】本開示の１つ以上の実施形態による、維持レーザと異なる方向に沿って配置される外部点火レーザを有する光維持プラズマを形成するためのシステムの概略図である。
【図２Ａ】本開示の１つ以上の実施形態による、円筒形プラズマ電球を有するプラズマランプの概略図である。
【図２Ｂ】本開示の１つ以上の実施形態による、球形プラズマ電球を有するプラズマランプの概略図である。
【図２Ｃ】本開示の１つ以上の実施形態による、カージオイド形プラズマ電球を有するプラズマランプの概略図である。
【発明を実施するための形態】
【００１０】
添付図に示される、開示する主題の詳細をここで参照する。本発明の特定の実施形態を例証したが、前述の開示の範囲および趣旨から逸脱することなく、当業者によって本発明のさまざまな変形および実施形態をなされてもよいことが明らかである。したがって、本発明の範囲は、この文書に添付した請求項によってのみ限定される。
【００１１】
概して図１Ａ〜図２Ｃを参照して、本開示による広帯域光源のプラズマを点火および維持するためのシステムを説明する。本開示の実施形態は、ＬＳＰ広帯域源に使用される無電極プラズマランプに関する。本開示の別の実施形態は、簡略化されたプラズマランプの形状と構成に関する。このような実施形態は、プラズマランプの信頼性を高め、（電極劣化に起因する電力を防ぐことにより）寿命と、拡張性を向上させる。本開示の別の実施形態は、１つ以上の維持レーザとインライン結合された、１つ以上の点火レーザを含む、プラズマ点火スキームに関する。これらの実施形態において、１つ以上の点火レーザは、所定のプラズマランプを有するプラズマを点火してもよく、そして、プラズマ点火後、１つ以上の維持レーザがプラズマを維持してもよい。
【００１２】
図１Ａは、本発明の実施形態による光維持プラズマ（ＬＳＰ）を形成するためのシステム１００を示す。システム１００は、検査具や計測具などの多くの用途において広帯域照射源として用いてもよいが、これらの用途に限定されるものではない。
【００１３】
２００８年１０月１４日に発行された米国特許第７，４３５，９８２号には、光維持プラズマの生成について一般的な記載があり、その全体は参照により本明細書に組み込まれる。２０１０年８月３１日に発行された米国特許第７，７８６，４５５号には、同じくプラズマの生成について一般的な記載があり、その全体は参照により本明細書に組み込まれる。２０１１年８月２日に発行された米国特許第７，９８９，７８６号には、同じくプラズマの生成について一般的な記載があり、その全体は参照により本明細書に組み込まれる。２０１２年５月２２日に発行された米国特許第８，１８２，１２７号には、同じくプラズマの生成について一般的な記載があり、その全体は参照により本明細書に組み込まれる。２０１２年１１月１３日に発行された米国特許第８，３０９，９４３号には、同じくプラズマの生成について一般的な記載があり、その全体は参照により本明細書に組み込まれる。２０１３年２月９日に発行された米国特許第８，５２５，１３８号には、同じくプラズマの生成について一般的な記載があり、その全体は参照により本明細書に組み込まれる。２０１４年１２月３０日に発行された米国特許第８，９２１，８１４号には、同じくプラズマの生成について一般的な記載があり、その全体は参照により本明細書に組み込まれる。２０１６年４月１９日に発行された米国特許第９，３１８，３１１号には、同じくプラズマの生成について一般的な記載があり、その全体は参照により本明細書に組み込まれる。２０１４年３月２５日に出願された米国特許公開第２０１４／０２９１５４号には、同じくプラズマの生成について記載され、その全体は参照により本明細書に組み込まれる。２０１５年３月３１日に出願された米国特許公開第２０１５／０２８２２８８号には、光維持プラズマの横断方向のポンピングについて一般的な記載があり、その全体は参照により本明細書に組み込まれる。全体として、本開示のさまざまな実施形態は、当該技術分野において公知のあらゆるプラズマベースの光源にまで広げて解釈されるべきである。２０１０年４月２７日に発行された米国特許第７，７０５，３３１号には、プラズマ発生に関連して用いられる光学系について一般的な記載があり、その全体は参照により本明細書に組み込まれる。
【００１４】
一実施形態において、システム１００はプラズマランプ１１０を含む。別の実施形態において、システム１００は、プラズマランプ１１０内のプラズマ１１１を点火および／または維持するように構成される照明源１０２を含む。照明源１０２は、赤外線、可視光および／または紫外線などの、選択された任意の波長または波長帯を有する光を発してもよいが、これらの光に限定されない。一実施形態において、照明源１０２は、１つ以上の維持レーザ１２０と１つ以上の点火レーザ１３０とを含む。１つ以上の点火レーザ１３０は、プラズマランプ１１０内のプラズマ１１１を点火してもよい。そして、いったんプラズマ１１１が点火された後、１つ以上の維持レーザ１２０は、プラズマランプ１１０内のプラズマ１１１を維持するように機能する。
【００１５】
別の実施形態において、システム１００は、照明源１０２からシステム１００の照明路１０１へ照明（例えば、点火照明および／または維持照明）を伝送するための１つ以上の光ファイバ（例えば、デリバリファイバおよび／またはプロセスファイバ）を含む。
【００１６】
別の実施形態において、システムは、１つ以上のランプ光学部品を含む。例えば、図１Ａに示すように、１つ以上のランプ光学部品は、プラズマランプ１１０内に収容された所定体積のガス１０９に照明源１０２からの照明１０５を（光ファイバ１０４を介して）方向付ける、および／または集束するための集光素子１０８（例えば、楕円面鏡、放物面鏡、または、球面鏡）を含み、プラズマ１１１を点火および／または維持してもよいが、これらに限定されるものではない。さらに、集光素子１０８も同様に、生成されたプラズマ１１１により発せられる広帯域照射１１４を集光し、広帯域照射１１４を１つ以上の別の光学素子１１６へ方向付けてもよい。
【００１７】
代替的な実施形態や別の実施形態において、１つ以上のランプ光学部品は、照明源１０２からの照明１０５を（光ファイバ１０４を介して）プラズマランプ１１０内に収容された所定体積のガスへ方向付ける、および／または、集束するための照明光学部品のセットを含み、プラズマ１１１を点火および／または維持してもよい。例えば、照明光学部品のセットは、プロセス光ファイバ１０４からの出力をプラズマランプ１１０内の所定容積のガスへ方向付けるように構成される、反射素子（例えば、ミラー）のセットを含み、プラズマ１１１を点火および／または維持してもよい。さらに、１つ以上のランプ光学部品は、プラズマ１１１によって発せられる広帯域照射１１４を集光し、広帯域照射１１４を１つ以上の別の光学素子１１６へ方向付けるための集光素子（例えば、ミラー）のセットを含んでもよいが、これに限定されるものではない。２０１６年６月２０日に出願された米国特許出願第１５／１８７，５９０号には、プラズマ源において照明と集光光学部品とを別々に使用することについて一般的な記載があり、本明細書に組み込まれる。
【００１８】
照明源１０２の、１つ以上の維持レーザ１２０からの維持照明と１つ以上の点火レーザ１３０からの点火照明とを、プラズマ１１１に伝送するために用いられる光学的構成は、維持照明と点火照明とを順次または同時にプラズマ１１１（またはガス）に伝送可能なあらゆる光学的構成を含んでもよいことを留意されたい。例えば、１つ以上の維持レーザ１２０からの照明と１つ以上の点火レーザからの照明とを光ファイバ１０４に結合させるために用いられる光学的構成は、反射光学部品および／または透過光学部品を含んでもよい。さらに、光学的構成は、１つ以上のブロッキングミラー、１つ以上の調節可能なミラーやフリップミラー、１つ以上のダイクロイックミラー、１つ以上の偏光コンバイナなどを含んでもよい。
【００１９】
図１Ｂ〜図１Ｃは、本開示の１つ以上の実施形態による、１つ以上の維持レーザ源と１つ以上の点火光レーザ源とを備える照明源１０２を示す。
【００２０】
一実施形態において、照明源１０２は、１つ以上の維持レーザ１２０ａ、１２０ｂと１つ以上の点火レーザ１３０とを含む。一実施形態において、１つ以上の維持レーザ１２０ａ、１２０ｂは、１つ以上の連続波（ＣＷ）レーザを含む。例えば、レーザ源１０２の１つ以上の維持レーザ１２０ａ、１２０ｂは、１つ以上のダイオードレーザ（例えば、ダイオードスタック）を含んでもよいが、これに限定されるものではない。別の実施形態において、レーザ源１０２の１つ以上の点火レーザ１３０は、１つ以上のパルスレーザを含む。例えば、レーザ源１０２の１つ以上の点火レーザ１３０は、１つ以上のＱスイッチレーザを含んでもよいが、これに限定されるものではない。例として、レーザ源１０２の１つ以上の点火レーザ１３０は、１つ以上のＮｄ：ＹＡＧレーザを含んでもよいが、これに限定されるものではない。別の実施例として、レーザ源１０２の１つ以上の点火レーザ１３０は、１つ以上のナノ秒パルスレーザ、１つ以上のピコ秒パルスレーザ、または１つ以上のフェムト秒パルスレーザを含んでもよいが、これらに限定されるものではない。別の実施例として、１つ以上の点火レーザ１３０は、１つ以上の変調ＣＷレーザ（すなわち、変調モードで動作するＣＷレーザ）を含んでもよい。例として、１つ以上の点火レーザ１３０は、１つ以上の変調ダイオードレーザを含んでもよい。
【００２１】
別の実施形態において、照明源１０２は、照明源の光学出力（例えば、維持照明および／または点火照明）を１つ以上の下流側光学素子へ伝送するためのデリバリファイバ１３８を含む。
【００２２】
別の実施形態において、照明源１０２は、ファイバカプラ１４０を含む。例えば、図１Ｂに示すように、ファイバカプラ１４０は、デリバリファイバ１３８の出力を、プロセスファイバ１０４の光学入力へ光学結合させてもよい。デリバリファイバ１３８の出力をプロセスファイバ１０４の入力に結合させるために、ファイバカプラ１４０は必要な数や種類の光学素子を含んでもよい。例えば、ファイバカプラ１４０は、デリバリファイバ１３８の出力をプロセスファイバ１０４の入力に結合させるように配置された、レンズ１４２とレンズ１４４を含んでもよい。さらに、プロセスファイバ１０４は、犠牲的な光ファイバであってもよく、必要時には使用者が新しいファイバをファイバカプラ１４０へ取り付けることができる。
【００２３】
例として、照明源１０２は、プラズマを点火するためのＱスイッチナノ秒パルスレーザと、プラズマを維持するための１つ以上のダイオードレーザとを含んでもよい。この例では、Ｑスイッチナノ秒パルスレーザの出力は、デリバリファイバ１３８と結合される前に、レーザ源１０２自体の内部で、ダイオードレーザ出力とインライン結合されてもよい。一実施形態において、ダイオードレーザ１２０ａ、１２０ｂ（例えば、ダイオードスタック）は、ＣＷモードで継続的に動作してもよく、パルスレーザ１３０が一度プラズマを点火すると、ダイオードレーザ１２０ａ、１２０ｂは、プラズマを維持する役割を引き継いでもよい。ファイバレーザを使用すると、他の選択肢を用いた場合に比べて、一般的に信頼性が高まり、小型化され、配置の自由度が増すため、レーザ源の設計を簡素化し得ることを留意されたい。
【００２４】
当該技術分野において公知の光学素子／構成部品のセットを使用して、１つ以上の維持レーザ１２０ａおよび／または１２０ｂの出力とインラインである１つ以上の点火レーザ１３０の出力１３３を、デリバリファイバ１３８の入力に結合させてもよいことを留意されたい。
【００２５】
一実施形態において、鏡のセットを用いてレーザ１２０ａ、１２０ｂ、１３０の出力を空間的に分離させ、レーザ１２０ａ、１２０ｂ、１３０の出力をデリバリファイバ１３８の入力へ方向付ける、および／または、集束させてもよい。例えば、図１Ｂに示すように、鏡１２６ａ、１２６ｂ、１２７、１２８は、維持レーザ１２０ａ、１２０ｂからのレーザ照明と点火レーザ１３０からのレーザ照明とを、デリバリファイバ１３８の入力へ方向付けるように使用される。
【００２６】
利用可能な空間は、維持レーザ１２０ａ、１２０ｂからのレーザ照明１２３ａ、１２３ｂによって占められており、点火照明１３３をデリバリファイバ１３８およびプラズマへ送信可能にするために、１つ以上の光学素子を使用して、維持レーザ照明の一部を一時的に遮断してもよいことに留意されたい。例えば、図１Ｂに示すように、フリップミラー１２７（または作動可能なミラー）を配置して、プラズマ点火時に、レーザ１２０ｂからの維持照明１２３ｂを遮断しつつ、鏡１２８とデリバリファイバ１３８に点火照明１３３を反射させてもよい。そして、図１Ｃに示すように、プラズマ点火後に、フリップミラー１２７を調節して、維持照明１２３ｂを鏡１２８とデリバリファイバ１３８に通過させながら、フリップミラー１２７が点火源１３０からの点火照明１３３を遮断するようにしてもよい。さらに、光源１０２は、光をデリバリファイバ１３８へ方向付け、集束するために、レンズ１２２ａ、１２２ｂ、１３２、１３６をいくつ含んでもよい。
【００２７】
１つ以上の維持レーザ１２０ａ、１２０ｂの光学出力および１つ以上の点火レーザ１３０の光学出力は、当該技術分野において公知の方法で、デリバリファイバ１３８と結合させてもよい。別の実施形態において、デリバリファイバ１３８および／またはプロセスファイバ１０４は、マルチステップまたはマルチコア光ファイバであってもよく、それらを用いることにより、光の異なる波長が所定の光ファイバの異なる層に集束する。２０１６年９月２３日に出願された米国特許出願第１５／２７４，９５６号には、プラズマ生成に関連してマルチステップまたはマルチコア光ファイバを使用することが記載され、その全体は参照により本明細書に組み込まれる。
【００２８】
図１Ｄは、本開示の１つ以上の代替的な実施形態による、１つ以上の維持レーザ源と１つ以上の点火光レーザ源とを備える照明源１０２を示す。本実施形態において、点火照明１３３は、ファイバカプラ１４０を介して、プロセスファイバ１０４に伝送されてもよい。一実施形態において、ファイバカプラ１４０は、点火照明１３３をプロセスファイバ１０４に反射させるのに適した、１つ以上のダイクロイックミラー１４８を含む一方、維持レーザ１２０ａ、１２０ｂからの照明をデリバリファイバ１３８からプロセスファイバ１０４へ通過させる。
【００２９】
一実施形態において、ダイクロイックミラー１４８は、取り外し可能である。これに関し、ダイクロイックミラー１４８は、特定の用途において、またはプラズマ点火時に、ファイバカプラ内に選択的に配置されてもよい。例として、プラズマ１１１が一度点火されれば、ダイクロイックミラー１４８は取り外されてもよい。
【００３０】
この構成により、維持レーザ１２０ａ、１２０ｂとは異なる波長で動作する外部点火パルスレーザ１３０の出力が、プロセスファイバ１０４とプラズマ１１１とに結合可能になる。上述した構成に外部レーザ（例えばファイバレーザまたは従来のＮｄ：ＹＡＧレーザ）を追加することにより、パルスレーザ出力（パルスエネルギー）を柔軟に高めることができる。
【００３１】
図１Ｄの外部点火源は、図１Ｄにおいて唯一の点火源として示されるが、この構成は、本開示を限定するものではないことに留意されたい。図１Ｃの内部点火源１３０と図１Ｄの外部点火源１３０を同時に使用して、高い点火力を必要とする用途において柔軟に点火力を高めてもよい。
【００３２】
図１Ｂ〜１Ｄに図示される光学的構成は、２つの維持レーザまたは１つの点火レーザに限定されない。むしろ、図１Ｂ〜１Ｄに図示される光学的構成は、維持レーザと点火レーザをいくつ増やしてもよい。例えば、照明源１０２は、１つ以上の維持レーザ（例えば、１つ、２つ、３つの維持レーザなど）を含んでもよい。この実施例において、図１Ｂ〜図１Ｄの光学的構成に、別の維持レーザを追加して設計変更してもよい。例として、鏡１２８は、別の維持レーザからレンズ１３６に照明を透過させるダイクロイックミラーであってもよい。別の例として、照明源１０２は、１つ以上の点火レーザ（例えば、１つ、２つ、３つの点火レーザなど）を含んでもよい。
【００３３】
図１Ｅは、本開示の１つ以上の代替的な実施形態による、１つ以上の維持レーザ源と１つ以上の点火光レーザ源とを備える照明源１０２を示す。本実施形態では、照明源１０２は、１つ以上のダイクロイックミラーと、波長（または波長帯）が異なるレーザ照明を発するレーザ１２０ａ、１２０ｂ、および１３０とを含む。例えば、第１維持レーザ１２０ａは波長λ1のレーザ照明を発し、第２維持レーザ１２０ｂは波長λ２のレーザ照明を発し、点火レーザ１３０はλ３のレーザ照明を発する（ここでλ1、λ２、λ３は異なる）。さらに、鏡１５０、１５２、および１５４は、ダイクロイックミラーであってもよい。これに関し、鏡１５０は、第１の波長λ1（または波長のセット）の光を反射させてもよい。そして、鏡１５２は、第２の波長λ２の光を反射させながら、第１の波長λ1の光を透過させる。さらには、鏡１５４は、第３の波長λ３の光を反射させながら、第１の波長λ1の光と第２の波長λ２の光とを透過させる。これに関し、１つ以上の維持レーザ源からの照明と１つ以上の点火光レーザ源からの照明とが、レンズ１３６に結合されてもよく、そして、レンズ１３６により、点火照明と維持照明とがデリバリファイバ１３８に（順次または同時に）集束される、および／または、方向付けられる。次に、本明細書中で上述したファイバカプラ１４０は、デリバリファイバ１３８の出力をプロセスファイバ１０４の入力に結合させてもよく、その後、光源１０２の出力を、さまざまな光学素子を介してプラズマ１１１（またはガス）に伝送する。
【００３４】
維持レーザ１２０ａ、１２０ｂからの照明と１つ以上の点火源１３０からの照明とを、偏光に基づく光学素子を利用して結合させてもよいことを留意されたい。例として、偏光素子のセット（例えば、偏光ビームスプリッタ、偏光コンバイナ）を使用して、１つ以上の維持レーザからの照明と１つ以上の点火源からの照明とを、デリバリファイバ１３８に結合させてもよい。これに関し、１つ以上の点火レーザからの照明を直交状態に偏光させながら、１つ以上の維持レーザからの照明を１つの状態に偏光させてもよい。そして、図１Ｅのダイクロイックミラーと類似する方法で、偏光ビームスプリッタ／コンバイナのセットを組み込んでもよい。
【００３５】
図１Ｂ〜１Ｅの上記説明は、本開示の範囲を限定するものではなく、単に説明のため記載されることに留意されたい。維持照明と点火照明とを順次または同時にプラズマ１１１に伝送するために、等価な光学的構成をいくつ組み込んでもよいことが認められる。
【００３６】
図１Ｆは、本開示の代替的実施形態による、光維持プラズマ（ＬＳＰ）を形成するためのシステム１００を示す。本実施形態において、点火照明は、照明ビーム１０５とは異なる方向から点火照明を伝送するために配置された点火レーザ１３０を介して、プラズマランプ１１０に伝送されてもよい。例えば、点火照明１３３は、集光素子１０８のサイドポート１５０を介してプラズマランプ１１０に結合されてもよい。もしくは、点火照明１３３は、他の方向を介して、プラズマランプ１１０内に結合されてもよい。無電極の構成は、点火照明１３３をプラズマランプ１１０に結合するときに、より高い汎用性を実現することに留意されたい。さらに、点火照明１３３は、１つ以上の維持レーザ１２０と共有される、集光素子１０８のすべてまたは一部分を再利用してもよい。
【００３７】
図２Ａ〜２Ｃは、本開示の１つ以上の実施形態による、システム１００のプラズマランプ１１０に使われるさまざまな電球の形を示す。一実施形態において、図２Ａに示すように、プラズマ電球２０２は、円筒形であってもよい。別の実施形態において、円筒形のプラズマ電球２０２は、プラズマランプ内の対流が分散しやすくなるように垂直方向に伸長させてもよい。
【００３８】
別の実施形態において、図２Ｂに示すように、プラズマ電球２０２は、球形であってもよい。球形のプラズマ電球２０２により、プラズマ１１１によって発せられる広帯域照射の収差を補正する必要性を低減または回避できることに留意されたい。
【００３９】
別の実施形態において、図２Ｃに示すように、プラズマ電球２０２は、カージオイド形（ハート形）を有してもよい。一実施形態において、カージオイド形プラズマランプは、プラズマランプ１１０の所定体積のガス１０９の対流を方向付けるために、ガラス電球の内面にピーク２１０を有してもよい。
【００４０】
別の実施形態において、プラズマランプ１１０は、再充填可能である。図２Ａ〜２Ｃに示すように、プラズマランプ１１０は、プラズマランプ１１０のプラズマ電球２０２の一部に操作可能に結合されたガスポートアセンブリ２０５を含んでもよい。例えば、プラズマランプ１１０は、電球２０２の底部に機械的に接続され、ガスがガス源からプラズマランプ１１０の電球２０２の内域へ選択的に移動しやすいように構成されるガスポートアセンブリ２０５を含んでもよい。
【００４１】
一実施形態において、ガスポートアセンブリ２０５は、注入口２０７、供給キャップ２０３、受入キャップ２０６、および供給キャップ２０３を受入キャップ２０６に機械的に固定させるのに適したクランプ２０８を含んでもよい。本実施形態では、ガス源（図示せず）からのガスを、ガス源から電球２０２の内容積へガスポートアセンブリ２０５の注入口２０７を介して移動（つまり、流出）させてもよい。さらに、注入口２０７、供給キャップ２０３、受入キャップ２０６、およびクランプ２０８は、それぞれ選択された金属（例えば、ステンレス鋼）または非金属材料から構成されてもよい。
【００４２】
２０１２年１０月９日に出願された米国特許出願第１３／６４７，６８０号には、再充填可能なガス電球とさまざまな形の電球を利用することが記載され、その全体は参照により本明細書に組み込まれる。図２Ａ〜２Ｃは、（ガスポートアセンブリを備える）再充填可能な電球において実施されるプラズマ電球のさまざまな形を示したが、本発明に記載されるプラズマ電球の形はそれぞれ再充填不可能なプラズマランプで実施されてもよいことに留意されたい。
【００４３】
本開示の大部分は、プラズマ電球を含むプラズマランプに重点を置くものの、本開示の範囲は、プラズマ電球、プラズマセル、プラズマチャンバなど、プラズマ生成の技術分野において公知である、あらゆるガス収容構造物またはガス収容容器にまで及んでもよいが、これらに限定されるものではないことに留意されたい。
【００４４】
少なくとも２００７年４月２日に出願された米国特許出願第１１／６９５，３４８号、２００６年３月３１日に出願された米国特許出願第１１／３９５，５２３号、および２０１２年１０月９日に出願された米国特許出願第１３／６４７，６８０号には、プラズマ電球を使用することが記載され、すでにそれぞれ全体が本明細書に組み込まれている。少なくとも２０１４年３月３１日に出願された米国特許出願第１４／２３１，１９６号、および２０１４年５月２７日に出願された米国特許出願第１４／２８８，０９２号には、プラズマセルを使用することが記載され、すでにそれぞれ全体が本明細書に組み込まれている。２０１０年５月２６日に出願された米国特許出願第１２／７８７，８２７号、２０１５年３月１７日に出願された米国特許出願第１４／６６０，８４６号、２０１５年３月２６日に出願された米国特許出願第１４／６７０，２１０号、２０１４年３月２５日に出願された米国特許出願第１４／２２４，９４５号には、ガスチャンバをガス収容構造物として使用することが記載され、それぞれ全体が本明細書に組み込まれる。
【００４５】
図１Ａを再び参照すると、システム１００のプラズマランプ１１０の透過部（例えば、電球、透過素子または窓）は、プラズマ１１１により生成される広帯域照射１１４および／または照明源１０２からの照明１０５を少なくとも部分的に透過させる、当該技術分野において公知のいかなる材料から形成されてもよい。例えば、プラズマランプ１１０の１つ以上の透過部（例えば、電球、透過素子または窓）は、ＥＵＶ照射、ＶＵＶ照射、ＤＵＶ照射、ＵＶ照射、ＮＵＶ照射、および／またはプラズマランプ１１０内で生成される可視光を少なくとも部分的に透過させる、当該技術分野において公知のいかなる材料から形成されてもよい。さらに、プラズマランプ１１０の１つ以上の透過部は、照明源１０２からのＩＲ照射、可視光、および／または紫外線を少なくとも部分的に透過させる、当該技術分野において公知のいかなる材料から形成されてもよい。別の実施形態において、プラズマランプ１１０の１つ以上の透過部は、照明源１０２からの照射（例えば、赤外線源）とプラズマ１１１により発せられる照射（例えば、ＥＵＶ、ＶＵＶ、ＤＵＶ、ＵＶ、ＮＵＶ照射および／または可視光）の両方を透過させる、当該技術分野において公知のいかなる材料から形成されてもよい。
【００４６】
いくつかの実施形態において、プラズマランプ１１０の透過部は、ＯＨ低含有の溶融石英ガラス材料から形成されてもよい。別の実施形態において、ガス収容構造物の透過部は、ＯＨ高含有の溶融石英ガラス材料から形成されてもよい。例えば、プラズマランプ１１０の透過部は、ＳＵＰＲＡＳＩＬ１、ＳＵＰＲＡＳＩＬ２、ＳＵＰＲＡＳＩＬ３００、ＳＵＰＲＡＳＩＬ３１０、ＨＥＲＡＬＵＸ  ＰＬＵＳ、ＨＥＲＡＬＵＸ−ＶＵＶなどを含んでもよいが、これらに限定されるものではない。別の実施形態において、プラズマランプ１１０の透過部は、フッ化カルシウム、フッ化マグネシウム、フッ化リチウム、結晶石英、結晶サファイアを含んでもよいが、これらに限定されるものではない。A. Schreiber et al., Radiation Resistance of Quartz Glass for VUV Discharge Lamps, J. Phys. D: Appl. Phys. 38 (2005), 3242-3250に、本開示のプラズマランプ１１０を実施するのに適したさまざまなガラスが詳しく記載され、その全体が本明細書に組み込まれる。
【００４７】
一実施形態において、プラズマランプ１１０は、励起照明の吸収時にプラズマを生成するのに適した当該技術分野において選択される公知のガス（例えば、アルゴン、キセノン、水銀など）を収容してもよい。一実施形態において、照明源１０２からの照明１０５が所定体積のガス１０９に集束されると、プラズマランプ１１０内のガスまたはプラズマにより（例えば、１つ以上の選択された吸収線を通じて）エネルギーが吸収される。
【００４８】
システム１００は、多様なガス環境でプラズマ１１１を開始および／または維持するために利用されてもよいことが本明細書において意図される。一実施形態において、プラズマ１１１を開始および／または維持するのに使用されるガスは、不活性ガス（例えば、希ガスまたは非希ガス）または非不活性ガス（例えば、水銀）を含んでもよい。別の実施形態において、プラズマ１１１を開始および／または維持するのに用いられるガスは、ガスの混合物（例えば、不活性ガスの混合物、不活性ガスと非不活性ガスとの混合物、または非不活性ガスの混合物）を含んでもよい。例えば、本開示のシステム１００の実施に適したガスは、Ｘｅ、Ａｒ、Ｎｅ、Ｋｒ、Ｈｅ、Ｎ２、Ｈ２Ｏ、Ｏ２、Ｈ２、Ｄ２、Ｆ２、ＣＨ４、１つ以上のハロゲン化金属、ハロゲン、Ｈｇ、Ｃｄ、Ｚｎ、Ｓｎ、Ｇａ、Ｆｅ、Ｌｉ、Ｎａ、Ａｒ：Ｘｅ、ＡｒＨｇ、ＫｒＨｇ、ＸｅＨｇおよびこれらの混合物を含んでもよいが、これらに限定されるものではない。本開示は、あらゆる光励起プラズマ発生システムにまで拡大して解釈されるべきであり、さらにはガス収容構造物内のプラズマを維持するのに適した、あらゆる種類のガスにまで拡大して解釈されるべきである。
【００４９】
プラズマランプ１１０の広帯域照射１１４は、検査具および／または計測具などの光学的特徴ツールの照明光学部品と結合されてもよいが、これらに限定されるものではないことに留意されたい。
【００５０】
一実施形態において、システム１００は、さまざまな別の光学素子を含んでもよい。一実施形態において、別の光学部品のセットは、プラズマ１１１から発せられる広帯域照射１１４を集光するように構成される別の集光光学部品を含んでもよい。例として、システム１００は、集光素子１０８からの照明を、限定されないが、ホモジナイザーなどの下流の光学部品へ方向付けるように配置されるコールドミラー１１２を含んでもよい。
【００５１】
別の実施形態において、別の光学部品のセットは、システム１００の照明路または集光路のいずれかに沿って配置される１つ以上の別のレンズ（例えば、レンズ）を含んでもよい。１つ以上のレンズを利用して、所定体積のガス１０９内に照明源１０２からの照明を集束してもよい。または、別の１つ以上のレンズを利用して、プラズマ１１１から選択された対象（図示せず）に発せられる広帯域照射１１４を集束してもよい。
【００５２】
別の実施形態において、別の光学部品のセットは、反射鏡１０６を含んでもよい。一実施形態において、反射鏡１０６は、照明源１０２からの照明１０５を受け、照明をプラズマランプ１１０内に収容された所定体積のガス１０９へ集光素子１０８を介して方向付けるように配置されてもよい。別の実施形態において、集光素子１０８は、ミラー１０６からの照明を受け、照明を集光素子１０８（例えば、楕円形集光素子）の焦点に集束するように配置され、当該焦点には、プラズマランプ１１０が配置されている。
【００５３】
別の実施形態において、別の光学部品のセットは、プラズマランプ１１０への光の入射前に照明を遮るために、またはプラズマ１１１からの光の放射後に照明を遮るために、照明路または集光路のいずれかに沿って配置される１つ以上のフィルタ（図示せず）を含んでもよい。上述した、図１Ａに示す、システム１００の光学部品のセットは、単に説明のために記載され、限定のために解釈されるべきではないことに留意されたい。本発明の範囲内で、等価な光学的構成が多く用いられることが予想される。
【００５４】
本明細書に記述した主題は、他の構成部品内に収容されるか、それらに接続される別の構成部品を例証する場合がある。そのように描写されたアーキテクチャは単なる例証であり、実際には、同じ機能性を実現する多くの他のアーキテクチャを実施できることが理解される。概念的な意味では、同じ機能性を実現する構成部品のあらゆる配置は、所望の機能性を実現するように有効に「関係付け」られている。したがって、特定の機能性を実現するように本明細書で組み合わせられたあらゆる２つの構成部品は、アーキテクチャまたは中間構成部品に関係なく所望の機能性を実現するように互いに「関係付け」られたものとして見ることができる。同様に、そのように関係付けられたあらゆる２つの構成部品はまた、所望の機能性を実現するように互いに「接続された」または「連結された」ものとしてみなすことができ、そのような関係付けが可能な任意の２つの構成部品はまた、所望の機能性を実現するように相互に「連結可能」であるとみなすことができる。連結可能なものの具体例は、物理的に一致可能なおよび／または物理的に相互作用する構成部品、および／または、無線で相互作用可能なおよび／または無線で相互作用する構成部品、および／または論理的に相互作用するおよび／または論理的に相互作用可能な構成部品を含むが、これらに限定されない。
【００５５】
本開示およびそれに伴う多くの利点が上記の説明によって理解され、開示した主題から逸することなく、またはその重要な利点のすべてを犠牲にすることなく、コンポーネントの形態、構造および配置に関してさまざまな変更をなすことができることが明らかであると理解される。記述した形態は、単なる説明のためのものであり、以下の請求項がそのような変更を包含および含有するものと意図される。さらに、添付の請求項によって本発明が定義されることが理解される。
【図１Ａ】
2018531487.tif 000003
【図１Ｂ】
2018531487.tif 000004
【図１Ｃ】
2018531487.tif 000005
【図１Ｄ】
2018531487.tif 000006
【図１Ｅ】
2018531487.tif 000007
【図１Ｆ】
2018531487.tif 000008
【図２Ａ】
2018531487.tif 000009
【図２Ｂ】
2018531487.tif 000010
【図２Ｃ】
2018531487.tif 000011
【国際調査報告】
2018531487.tif 000012
2018531487.tif 000013
2018531487.tif 000014
2018531487.tif 000015
2018531487.tif 000016